【事件の表示】
　特願２００１−３９００６３「ノートブックコンピュータ用の液晶表示モジュール及びその組立方法」拒絶査定不服審判事件〔平成１４年　７月２６日出願公開、特開２００２−２０７４３８〕について、次のとおり審決する。
【結　論】
　本件審判の請求は、成り立たない。
【理　由】
第１　手続の経緯
　本願は、平成１３年１２月２１日（パリ条約による優先権主張２０００年１２月２２日、大韓民国）の出願であって、平成１９年１２月１０日に手続補正がなされ、平成２０年１月１７日付けで拒絶査定がなされ、これに対し、同年４月２２日に拒絶査定不服審判が請求され、同年５月２２日に手続補正がなされたものである。　
　
第２　平成２０年５月２２日付け手続補正についての補正却下の決定
［補正却下の決定の結論］
　平成２０年５月２２日付け手続補正（以下「本件補正」という。）を却下する。
　
［理由］
１　本件補正の内容・目的
　本件補正は、明細書の特許請求の範囲（平成１９年１２月１０日付け手続補正後のもの）を、
　
「【請求項１】
二枚の基板の間に液晶が注入された液晶パネルと、
前記液晶パネルの背面に
位
前記液晶パネルと前記導光板の間に位置して前記導光板を経由した光の拡散及び／または進行方向の調節をするための光学シートと、
前記液晶パネル、導光板及び光学シートが収納されるサポートメインと、
前記導光板の背面に
位
前記リフレクターと前記サポートメインに設置されて前記リフレクターと前記サポートメインを固定させるために前記リフレクターの延伸部に形成される第１ホールと、前記第１ホールと対応する前記サポートメインの位置上に所定高さに突き出されて前記第１ホールを貫通する突起とからなる固定部材と、
前記リフレクターの背面と前記サポートメインの側面及び底面を囲んで前記サポートメインの突起が貫通される第２ホールを具備するカバボトムと、
前記カバボトムとサポートメインの側面を囲んで前記サポートメインの上部側縁を囲むトップケースと、を有しており、
前記突起は前記第１及び第２ホールと対応する領域で前記リフレクター及び前記カバボトムの厚さの合計より小さく突き出されて前記カバボトムの背面に突き出されないことを特徴とするノートブックコンピュータ用の液晶表示モジュール。
　
【請求項２】
液晶パネル、光源、導光板、前記導光板を支持するための段差面から水平方向に延伸する延伸部を有するリフレクター及び光学シートをサポートメインに組み立てる方法において、
前記リフレクター、前記導光板、前記光学シート及びランプ・ハウジングとからなるバックライト・ユニットの収納空間が前記液晶パネルの収納空間より上に向くように前記サポートメインをひっくり返す段階と、
前記サポートメインの収納空間に少なくとも一つ以上の光学シートを積層する段階と、前記導光板を前記光学シートの上に置く段階と、
前記延伸部に前記サポートメインの突起と対応する第１ホールが形成された前記リフレクターを前記導光板の上に置く段階と、
前記リフレクターの背面と前記サポートメインの側面及び底面を囲みサポートメインの突起が貫通した第２ホールが形成されたカバボトムを前記サポートメインに装着する段階と、
前記サポートメインをもう一度ひっくり返す段階と、
前記ひっくり返されたサポートメイン上に前記液晶パネルを置く段階と、
前記液晶パネルの側縁と前記サポートメインの側面を囲むトップケースを装着する段階を含んで、
前記導光板上に前記リフレクターを置く際に、前記第１ホールと対応する前記サポートメインの位置上から所定高さに突き出された前記サポートメインの突起が前記第１ホールに挿入されることで、前記リフレクターが前記サポートメインに装着されると同時に、前記サポートメインと前記リフレクターが固定されて、
前記突起は前記第１及び第２ホールと対応する領域で前記リフレクター及び前記カバボトムの厚さの合計より小さく突き出されて前記カバボトムの背面に突き出されないことを特徴とするノートブックコンピュータ用の液晶表示モジュールの組立方法。」
　
に補正しようとするものである（下線は審決にて付した。以下同じ。）。
　
　上記の請求項１に係る補正内容は、本件補正前の請求項３に係る発明を特定するために必要な事項である、「導光板」について、「液晶パネルの背面に位置」するものと限定するものであり、「リフレクター」について、「導光板の背面に位置」するものと限定するとともに、導光板を支持するための段差面が「サポートメイン」のものであることに限定するものであり、「固定部材」に関し、該「固定部材」を構成する、「リフレクターの延伸部」に形成される「ホール」と「カバボトム」に形成される「ホール」について、前者を「第１ホール」、後者を「第２ホール」と区別し、前記「固定部材」を構成する、所定の高さに突出した「突起」の形成箇所について、「サポートメインの下部面」から「第１ホールと対応するサポートメインの位置上」とすることに明りようにするとともに限定し、また「突起」の突出を「第１及び第２ホールと対応する領域でリフレクター及び前記カバボトムの厚さの合計より小さく突き出されて前記カバボトムの背面に突き出されない」ものに限定するものと認められる。
　したがって、本件補正は、全体としてみると、平成１８年法律第５５号改正附則第３条第１項によりなお従前の例によるとされる同法による改正前の特許法（以下「平成１８年改正前特許法」という。）特許法第１７条の２第４項第２号の特許請求の範囲の減縮を目的とするものである。
　
　そこで、本件補正後の請求項１に係る発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
２　本願補正発明
　上記１の請求項１における「位して」が「位置して」の誤記であることは明らかであるから、本願補正発明は、次のとおりのものと認められる。
　
「二枚の基板の間に液晶が注入された液晶パネルと、
前記液晶パネルの背面に
位置
前記液晶パネルと前記導光板の間に位置して前記導光板を経由した光の拡散及び／または進行方向の調節をするための光学シートと、
前記液晶パネル、導光板及び光学シートが収納されるサポートメインと、
前記導光板の背面に
位置
前記リフレクターと前記サポートメインに設置されて前記リフレクターと前記サポートメインを固定させるために前記リフレクターの延伸部に形成される第１ホールと、前記第１ホールと対応する前記サポートメインの位置上に所定高さに突き出されて前記第１ホールを貫通する突起とからなる固定部材と、
前記リフレクターの背面と前記サポートメインの側面及び底面を囲んで前記サポートメインの突起が貫通される第２ホールを具備するカバボトムと、
前記カバボトムとサポートメインの側面を囲んで前記サポートメインの上部側縁を囲むトップケースと、を有しており、
前記突起は前記第１及び第２ホールと対応する領域で前記リフレクター及び前記カバボトムの厚さの合計より小さく突き出されて前記カバボトムの背面に突き出されないことを特徴とするノートブックコンピュータ用の液晶表示モジュール。」
　
３　刊行物の記載事項
（１）原査定の拒絶の理由に引用され、本願の優先日前に頒布された刊行物である特開平８−１７９３２１号公報（以下「刊行物１」という。）には、図とともに次の事項が記載されている。
　
ア　「【請求項１】　　液晶パネルと、該液晶パネルの背面に配置された導光板と、この導光板の側面に沿って配置した光源と、この光源の光を前記導光板に導くように前記光源の周囲に配置した反射シートと、前記導光板、光源、反射シートを位置決め配置する枠体とを備える照明装置において、前記反射シートは、その一端に沿って設けられた硬質の板を介して前記枠体に固定されたことを特徴とする液晶表示装置。」
　
イ　「【０００７】
【実施例】図１は本発明実施例の液晶表示装置の要部断面図、図２〜４はその組立てを説明する要部断面図である。図において、１は、例えば液晶層１１が２枚の基板１２に挾持され偏光板１３を有したツイストネマティック型若しくはスーパーツイストネマティック型の液晶パネルで、必要に応じて周辺に駆動素子１４とプリント基板１５が接続されており、駆動素子１４は例えば可撓性基板に半導体素子が固定されているテープオートメーティッドボンディング（ＴＡＢ）型のものである。液晶パネル１の周辺部には、駆動素子１４との接続部分を押圧するため、必要に応じて、弾性のある緩衝材６を配置してもよい。
【０００８】
液晶パネル１の背面には、照明手段
それを位置決めして収納する樹脂製の枠体８とを配置している
照明手段は、導光板２と光源３と反射シート４とからなり
導光板２は、必要に応じて表面に光拡散板２１若しくはレンズシートが、そして底面に反射シート２２が配置された
【０００９】液晶パネル１を支え照明手段を収納する
枠体８は、
これらは金属枠体に収納される
枠体８は、
相互に固定する係止手段を有した上枠８１と、少なくとも光源３を底面から覆う底枠８２とからなる
光源３は、その両端において上枠８１の凹部８１１（図３ｂ参照）に
固定され
底枠８２で蓋がなされる
上枠８１は液晶パネル１と照明手段の間に主面が位置するように構成され、導光板２の表面から放出された光を少なくとも液晶パネル１の有効表示面に導くように略中央に透孔を有している
上枠８１の裏面には、
反射シート４の一端
板９を介して、
接着固定している
この板９は
最初に反射シート４に接着され、それを凹部８１１の間に設けられた平坦部に接着し、その後導光板２を填め込み
熱伝導体５が配置され、光源が組み込まれる
　
ウ　「【００１１】
【発明の効果】以上の如く、本発明の照明手段を用いた液晶表示装置によれば、反射シートの一端を導光板の側面上端と対応させて枠体に固定したので、導光板に反射シートを貼り付けるための接着代を不要とすることができ、導光板の幅寸法を短くし照明手段及びそれを用いた
表示装置の小型、軽量化を図ることができる
　
エ　上記イに照らして図１ないし４をみると、次のことがみてとれる。
（ア）枠体８のうち、上枠８１が、液晶パネル１と隣接して配置されているとともに、該上枠８１が、導光板２と光源３と反射シート４からなる照明手段と隣接して配置されていること。
（イ）底枠８２が、反射シート２２の背面を覆い、上枠８１の側面及び底面を覆うこと。
（ウ）底枠８２の側面を覆うとともに、上枠８１の側面を覆い、該上枠８１の上部の一部を覆う断面逆Ｌ字型の「部材」が存在すること。
　
オ　上記イによれば、「相互に固定する係止手段を有した上枠８１と、少なくとも光源３を底面から覆う底枠８２とからなる」「枠体８は、・・・金属枠体に収納される」（段落【０００９】）から、上記エ（ウ）の「部材」は「金属枠体」であると認められ、刊行物１には、金属枠体が、底枠の側面を覆うとともに、上枠の側面と上部の一部とを覆うことが記載されているといえる。
　
カ　上記アないしオからみて、刊行物１には、
「液晶パネルと、該液晶パネルの背面に配置された導光板と光源と反射シート４とからなる照明手段と、該照明手段を位置決めして収納する樹脂製の枠体とを備え、
　上記導光板は、その表面に光拡散板若しくはレンズシートが、その底面に反射シート２２が配置されており、
　上記枠体は、上枠と、上記光源を底面から覆う底枠とからなり、これらは金属枠体に収納され、
　上記枠体のうち、上枠が、液晶パネル隣接して配置されているとともに、該上枠が、導光板と光源と反射シート４からなる照明手段と隣接して配置され、
　上記上枠は、上記液晶パネルと上記照明手段の間に主面が位置するように構成され、上記導光板の表面から放出された光を少なくとも上記液晶パネルの有効表示面に導くように略中央に透孔を有しており、
　上記底枠は、上記反射シート２２の背面と上記上枠の側面及び底面を覆い、
　上記金属枠体は、上記底枠の側面を覆うとともに、上記上枠の側面と該上枠の上部の一部とを覆い、
　上記上枠の裏面には、反射シート４の一端が板を介して枠体に接着固定されており、上記板は最初に反射シート４に接着され、それを上記上枠凹部の間に設けられた平坦部に接着し、その後導光板を填め込み、熱伝導体が配置され、光源が組み込まれ、
　上記光源は、その両端において上記上枠の凹部に固定され、上記底枠で蓋がなされており、
　表示装置の小型、軽量化を図ることができる、液晶表示装置。」
の発明（以下「引用発明」という。）が記載されていると認められる。
　
（２）原査定の拒絶の理由に引用され、本願の優先日前に頒布された刊行物である特開平９−１４７６１８号公報（以下「刊行物２」という。）には、図とともに次の事項が記載されている。
　
ア　「【０００２】
【従来の技術】従来、
ノートブックパソコンやノートブックワープロ等の携帯性を重要視する情報端末機器等においては、
液晶表示装置の照明装置
　
イ　「【００１６】
【発明の実施の形態】以下に、本発明の実施の形態について説明する。先ず、図１乃至図６を用いて各構成部材について説明する。
上フレーム１は、下フレーム２と係止するための突起３を有している
【００１７】また、上フレーム１は、線状光源６と接しない面にハーネス固定用の溝７及びストッパー８を有している。これにより、照明装置の構成部材が込み入った狭い箇所にハーネス９を固定するといった細かい作業がなくなり、照明装置を構成してからハーネス９を固定することができるようになり、ハーネス９を固定する作業を簡素化することができる。さらに、上フレーム１が線状光源６のカバーの役割を果たすため、ハーネス９を固定するときに線状光源６に押圧力がかかって割れてしまうことがない。
【００１８】また、上フレーム１は、ポリカーボネイトに酸化チタンを１０％程度混ぜた高反射特性を示す材料で形成されているとともに、色を白色とすることで反射性と遮光性を両立させ、さらに、線状光源６を覆う部分を線状光源６の形状に沿うような形状となっている。これにより、線状光源６から上方向に進もうとする光を上フレーム１によって遮光し、非表示エリアからの光漏れを防ぐことができるため、従来のように、遮光体及びリフレクターを設ける必要がなくなる。このとき、線状光源６と上フレーム１の間に、例えば、１ｍｍ程度の僅かな間隙（図示せず）を設けておけば、線状光源６に押圧力がかかって割れてしまうことがなくなる。
【００１９】
下フレーム２は
上フレーム１と係止するための凹部１０が、前記突起３に対応する箇所に設けられている
照明装置の各構成部材を位置決め固定するためのピン１１が設けられている
のピン１１を用いて導光板１２、拡散板１３、レンズ１４、反射板１５、放熱板１６等の照明装置の各構成部材を位置決め固定する
照明装置の厚さを薄くできるとともに、コストを低く抑えることができる
上フレーム１に、このピン１１によって位置決めできるように孔１７を設けておけば、上フレーム１と下フレーム２とを突起３と凹部１０によって係止して固定する際の位置決めに利用することができ、作業時間が短縮できる
【００２０】導光板１２は、アクリル樹脂を用いて射出成形により形成され、入射端面の厚さが３．３ｍｍ、反入射端面の厚さが１．２ｍｍのクサビ形状となっており、端部には、下フレーム２のピン１１により位置決め固定するための孔１７が設けられている。さらに、下側には拡散反射層としての白色ドットパターンが印刷によって形成されている。
【００２１】拡散板１３にはＤ１１８（辻本電機製）、レンズ１４にはレンズシートＢＥＦ（住友３Ｍ製）、反射板１５には白色ポリエチレンテレフタレートシートＥ−６０（東レ製）、放熱板１６には熱伝導性の優れたアルミニウムをそれぞれ用いる。これらの部材には、それぞれ端部に下フレーム２のピン１１により位置決め固定するための孔１７が設けられている。
【００２２】下フレーム２のピン１１により位置決め固定するための孔１７は、熱による各部材の変形に対応できるように、各部材とも孔の形状を円形と楕円形の２種類を混在させることにより、円形の孔で位置決めを行い、楕円形の孔で熱膨張等の各部材の変形に対応できるようにしてある。
【００２３】線状光源６は、外径２．６ｍｍものを用い、導光板１２の端面との間に空気層を介在させるように配置する。
【００２４】次に、照明装置の組み立てについて説明する。
下フレーム２のピン１１に、放熱板１６、反射板１５、導光板１２、拡散板１３、レンズ１４の順に各々の孔１７をはめ込むことにより位置決めし、線状光源６を配置する。そして、上フレーム１の孔１７を下フレーム２のピン１１にはめ込むことにより位置決めし、上フレーム１の突起３と下フレーム２の凹部１０によって係止することにより固定する
【００２５】このようにして得られた照明装置に液晶表示パネル４を積層し、筺体５で覆ってビスで固定することにより液晶表示装置を得る。」
　
ウ　「【００２９】さらに、下フレームは、照明装置の各構成部材を位置決め固定するためのピンが設けられているため、両面接着テープまたは超音波熔着によって、照明装置の各構成部材を固定する必要がなくなり、照明装置の厚さを薄くできるとともに、コストを低く抑えることができる。さらに、上フレームに、このピンによって位置決めできるように孔を設けておけば、上フレームと下フレームとを突起と凹部によって係止して固定する際の位置決めに利用することができ、作業時間が短縮できる。」
　
エ　図５から、放熱板１６、反射板１５、導光板１２、拡散板１３及びレンズ１４のそれぞれの部材が、その側部の一辺において各部材の他の部位と面一な延伸部を有し、該延伸部に孔１７が形成されていること、上フレーム１に孔１７が形成されていること、及び、下フレーム２のピン１１近辺には窪みが設けられており、上記窪みに上記それぞれの部材の延伸部が収まることがみてとれる。
　
４　対比
　本願補正発明と引用発明とを対比する。
（１）引用発明の「液晶パネル」、「導光板」、「光源」、「反射シート２２」、「光拡散板若しくはレンズシート」、「上枠」、「底枠」、「金属枠体」及び「液晶表示装置」は、それぞれ、本願補正発明の「液晶パネル」、「導光板」、「光源」、「リフレクター」、「光学シート」、「サポートメイン」、「カバボトム」、「トップケース」及び「液晶表示モジュール」に相当する。
　
（２）引用発明の「導光板」は、液晶パネルの背面に配置されており、その表面から放出された光を少なくとも液晶パネルの有効表示面に導くものであって、光源から入射された光を液晶パネルの面に光を行き渡らせるように変換したうえで該液晶パネル側に出射するものといえるから、本願補正発明の「導光板」と、「液晶パネルの背面に位置して光源から入射された光を平面光源に変換して前記液晶パネル側に進行するようにする」点で一致する。
　
（３）引用発明は、「導光板」の表面（液晶パネル側の面）に光拡散板若しくはレンズシートが配置されており、これらが導光板を経由した光を拡散または進行方向の調節をするものであることは明らかであるから、引用発明の「光拡散板若しくはレンズシート」は、本願補正発明の「光学シート」と、「液晶パネルと前記導光板の間に位置して前記導光板を経由した光の拡散及び／または進行方向の調節をする」ためのものである点で一致する。
　
（４）引用発明の「反射シート２２」は、導光板の底面（底枠側の面）に配置されているから、本願補正発明の「リフレクター」と、「導光板の背面に位置する」点で一致する。
　
（５）引用発明は、導光板と光源と反射シート４からなる照明手段を位置決めして収納する枠体のうち、上枠が上記照明手段と隣接して配置されており、上記導光板はその表面（上枠側）に光拡散板若しくはレンズシートが配置されているから、上記導光板及び上記光拡散板若しくはレンズシートは、上記上枠に収納されているものといえる。したがって、引用発明の「上枠」は、本願補正発明の「サポートメイン」と、「導光板及び光学シートが収納される」点で一致する。
　
（６）引用発明の「底枠」は、反射シート２２の背面と上枠の側面及び底面を覆うから、本願補正発明の「カバボトム」と、「リフレクターの背面とサポートメインの側面及び底面を囲む」点で一致する。
　
（７）引用発明の「金属枠体」は、底枠の側面を覆うとともに、上枠の側面と上部の一部とを覆うから、本願補正発明の「トップケース」と、「カバボトムとサポートメインの側面を囲んで前記サポートメインの上部・・・を囲む」点で一致する。
　
（８）上記（１）ないし（７）から、本願補正発明と引用発明とは、
「液晶パネルと、
前記液晶パネルの背面に位置して光源から入射された光を平面光源に変換して前記液晶パネル側に進行するようにする導光板と、
前記液晶パネルと前記導光板の間に位置して前記導光板を経由した光の拡散及び／または進行方向の調節をするための光学シートと、
導光板及び光学シートが収納されるサポートメインと、
前記導光板の背面に位置するリフレクターと、
前記リフレクターの背面と前記サポートメインの側面及び底面を囲んでカバボトムと、
前記カバボトムとサポートメインの側面を囲んで前記サポートメインの上部を囲むトップケースとを有する液晶表示モジュール。」
の点で一致し、以下の点で相違する。
　
ア　液晶パネルが、本願補正発明においては、「二枚の基板の間に液晶が注入された」ものであるのに対し、引用発明においては、そのようなものか否か不明である点（以下「相違点１」という）。
　
イ　「サポートメインの上部」のうち「トップケース」に囲まれる箇所が、本願補正発明においては、「上部側縁」であるのに対し、引用発明においては、そのようなものではない点（以下「相違点２」という。）。
　
ウ　本願補正発明は、「サポートメイン」に「液晶パネルが収納される」のに対し、引用発明は、そのようなものかどうか明らかでない点（以下「相違点３」という）。
　　
エ　本願補正発明は、「リフレクター」が「導光板の側面と底面を囲んで、導光板を支持するためのサポートメインの段差面から水平方向に延伸する延伸部を有する」ものであって、「リフレクターとサポートメインに設置されて前記リフレクターと前記サポートメインを固定させるために前記リフレクターの延伸部に形成される第１ホールと、前記第１ホールと対応する前記サポートメインの位置上に所定高さに突き出されて前記第１ホールを貫通する突起とからなる固定部材」を有し、カバボトムが「前記サポートメインの突起が貫通される第２ホール」を具備し、「突起は第１及び第２ホールと対応する領域でリフレクター及びカバボトムの厚さの合計より小さく突き出されて前記カバボトムの背面に突き出されない」のに対し、引用発明は、リフレクターが上記のようなものか否か不明であり、また、上記のような固定部材及び該固定部材に関する構造を有さない点（以下「相違点４」という。）。
　
オ　液晶表示モジュールが、本願補正発明においては、「ノートブックコンピュータ用」であるに対し、引用発明においては、液晶表示装置がノートブックコンピュータ用か否か不明である点（以下「相違点５」という。）。
　
５　判断
　上記相違点について検討する。
（１）相違点１について
ア　液晶パネルとして２枚の基板間に液晶が注入されたものは、本願の優先日前に周知である（例．特開平１１−８４４２４号公報（段落【００３８】〜【００４１】参照。）、特開平１１−２０２７８７号公報（段落【０１４０】参照。））。
　
イ　引用発明において、上記アの周知技術を適用し、液晶パネルとして２枚の基板の間に液晶が注入されたものを採用し、上記相違点１に係る本願補正発明の構成となすことは、当業者が容易になし得ることである。
　
（２）相違点２について
ア　トップケースが液晶パネルの保持部材の上部側縁よりも表示領域側まで位置することは周知である（例．特開平１１−２７１７１９号公報（（段落【００１２】、【００１６】〜【００２４】、図１〜３参照。）、特開平１０−２３２３８５号公報（段落【００５８】、図３，９参照。））。
　
イ　トップケースと液晶パネルの保持部材との位置関係は、当業者が液晶パネルの見切りをどの部材に担わせるかなどを考慮し適宜選択し得ることであるところ、上記アの周知技術を引用発明において適用し、金属枠体が液晶パネルの保持部材である上枠につき、その上部の一部を囲むことに代えて、その上部側縁を囲むものとして、上記相違点２に係る本願補正発明の構成となすことは、当業者が適宜なし得ることである。
　
（３）相違点３について
ア　本願明細書には、「サポートメイン」に「液晶パネルが収納される」ことについて以下の記載がある。
　
（ア）「【００１７】
【課題を解決するための手段】前記目的を達成するために、本発明によるノートブックコンピュータ用の液晶表示モジュールは、二枚の基板の間に液晶が注入された液晶パネルと、光源から入射された光を平面光源に変換して前記液晶パネル側に進行するようにする導光板と、前記導光板の側面と底面を囲むリフレクターと、前記液晶パネルと導光板が
収納
　
（イ）「【００２２】本発明によるノートブックコンピュータ用の液晶表示モジュールの組立方法は液晶パネルとバックライト・ユニットの
収納
収納
【００２３】前記リフレクターの背面と前記サポートメインの側面及び底面を囲むカバボトムを前記サポートメインに装着する段階と、前記サポートメインをもう一度ひっくり返す段階と、前記ひっくり返られたサポートメイン上に前記
液晶パネルを置く
　
（ウ）「【００４４】これを詳細に説明すると、先ずサポートメイン（３６）の
収納
　　　　　　　　　　　　　　　（略）
【００５０】次に、カバボトム（３２）により背面及び側面が囲まれたサポートメイン（３６）をひっくり返して、その上に
液晶パネル（５０）を置く
　
イ　上記アより、本願補正発明の「サポートメイン」に「液晶パネルが収納される」とは、サポートメイン上に液晶パネルを置くことと解される。
　
ウ　そして、引用発明の上枠は、液晶パネルと照明手段の間に主面が位置するように構成されており、上枠の上に液晶パネルが置かれていることは明らかであるから、相違点３は、実質的な相違ではない。
　
（４）相違点４について
ア　刊行物２には、以下の技術が記載されているものと認められる。
（ア）ノートパソコン等の携帯性を重要視する情報端末機等の照明装置を前提として、下フレーム２に設けられたピン１１に、照明装置の構成部材である導光板１２、拡散板１３、レンズ１４、反射板１５、放熱板１６のそれぞれに設けられた孔１７をはめ込み、照明装置の各構成部材を位置決め固定することにより、照明装置の
厚さを薄くできる
（イ）放熱板１６、反射板１５、導光板１２、拡散板１３及びレンズ１４のそれぞれの部材が、その側部の一辺において各部材の他の部位と面一な延伸部を有し、該延伸部に孔１７が形成されており、上フレーム１に孔１７が形成されており、下フレーム２のピン１１近辺には窪みが設けられており、上記窪みに上記それぞれの部材の延伸部が収まること（上記３（２）エを参照。）。
　
イ　そして、引用発明は、表示装置の小型、軽量化を図る課題を有するものであり、小型、軽量化のために、その照明装置の厚みを薄くすることは、当業者が当然考慮し得ることであるから、引用発明において、上記ア（ア）の刊行物２記載の技術に基づいて、底枠及び上枠にピン及び孔からなる位置決め固定のための構造を採用し、底枠及び上枠に挟まれた反射シート、導光板、光拡散板、レンズシートのうち何れか１つまたは複数の部材について、前記位置決め固定のための構造を採用することは、当業者が容易に想到し得ることである。
　
ウ　ここで、引用発明は、上枠の裏面には、反射シート４の一端が板を介して枠体に接着固定されており、上記板は最初に反射シート４に接着され、それを上記上枠凹部の間に設けられた平坦部に接着し、その後導光板を填め込み、熱伝導体が配置され、光源が組み込まれ、光源が、その両端において上枠の凹部に固定され、底枠で蓋がなされているから、上枠に、導光板などの照明装置の各構成部材及び底枠が取り付けられているといえる。そうすると、引用発明において、刊行物２記載の技術を適用するに際し、上枠にピンを設け、該上枠に取り付けられる底枠に孔を設け、反射シート２２、導光板、光拡散板、レンズシートのうち何れか１つまたは複数の部材に孔を設けるようになすことは、当業者が適宜なし得る設計事項である。
　
エ　しかるところ、ピン（突起）が底枠（カバボトム）の背面から突き出されていると邪魔になることは明らかであるから、ピン（突起）を、各孔（第１及び第２ホール）と対応する領域で反射シート２２（リフレクター）及び底枠（カバボトム）の厚さの合計より小さく突き出されて前記底枠（カバボトム）の背面に突き出されないものとすることは、当業者が当然に行うことに過ぎない。
　
オ　さらに、引用発明において、上記ア（ア）の刊行物２記載の技術を適用するに際し、上記ア（イ）の刊行物２記載の技術を併せて採用し、反射シート２２（リフレクター）に他の部位と面一な延伸部を形成し、底枠（カバボトム）に該延伸部が収まる窪みを設けることは、当業者が適宜なし得る程度のことである。
　
カ　また、リフレクターが導光板の側面と底面を囲むものとすることは、導光板の側面からの光漏れを防ぐ必要性に応じて当業者が適宜なし得る程度のことである。
　
キ　上記アないしカの検討によれば、引用発明に刊行物２の記載事項を適用し、上記相違点４に係る本願補正発明の構成となすことは、当業者が容易に想到し得ることである。
　
（５）相違点５について
　上記（４）アによれば、刊行物２記載の技術は、ノートパソコン等の携帯性を重要視する携帯端末機等の照明装置を用いることを前提としているから、引用発明において刊行物２記載の技術を適用するに際して、液晶表示装置をノートパソコン用のものとし、上記相違点５に係る本願補正発明の構成となすことは、当業者が容易に想到し得ることである。
　
（６）そして、本願補正発明の奏する効果が、引用発明及び刊行物２の記載事項並びに周知技術から当業者が予測可能な域を超える程の格別なものとは認められない。
　
（７）したがって、本願補正発明は、刊行物１に記載された発明及び刊行物２の記載事項並びに周知技術に基づいて当業者が容易に発明をすることができたものであるから、特許法第２９条第２項の規定により、独立して特許を受けることができない。
　
６　むすび
　以上の検討によれば、本件補正は、平成１８年改正前特許法第１７条の２第５項において準用する同法第１２６条第５項の規定に違反するものであるから、同法第１５９条第１項において読み替えて準用する同法第５３条第１項の規定により却下されるべきものである。
　
第３　本願発明について
　
１　本願発明
　本件補正は上記のとおり却下されたので、本願の請求項に係る発明は、平成１９年１２月１０日付けの手続補正によって補正された明細書及び図面の記載からみて、その特許請求の範囲の請求項１ないし７に記載された事項によって特定されるものであるところ、請求項３に係る発明（以下「本願発明」という。）は、
　
「二枚の基板の間に液晶が注入された液晶パネルと、
光源から入射された光を平面光源に変換して前記液晶パネル側に進行するようにする導光板と、
前記液晶パネルと前記導光板の間に位置して前記導光板を経由した光の拡散及び／または進行方向の調節をするための光学シートと、
前記導光板の側面と底面を囲んで、前記導光板を支持するための段差面から水平方向に延伸する延伸部を有するリフレクターと、
前記液晶パネル、導光板及び光学シートが収納されるサポートメインと、
前記リフレクターと前記サポートメインに設置されて前記リフレクターと前記サポートメインを固定させる固定部材とを有しており、
前記固定部材は、前記サポートメインの下部面で所定の高さに突出した突起と、前記リフレクターの延伸部に形成されて前記サポートメインの突起が貫通するホールとを具備し、
　前記リフレクターの背面と前記サポートメインの側面及び底面を囲むカバボトムと、前記カバボトムとサポートメインの側面を囲んで前記サポートメインの上部側縁を囲むトップケースとを更に具備し、
前記カバボトムは、前記サポートメインの突起が貫通されるホールを具備することを特徴とするノートブックコンピュータ用の液晶表示モジュール。」
　
であると認められる。
　
２　引用例
　原査定の拒絶の理由に引用された刊行物１，２及びその記載事項は、前記「第２［理由］３」に記載したとおりである。
　
３　対比
　本願発明と引用発明とを対比する。
（１）引用発明の「液晶パネル」、「導光板」、「光源」、「反射シート２２」、「光拡散板若しくはレンズシート」、「上枠」、「底枠」、「金属枠体」及び「液晶表示装置」は、それぞれ、本願発明の「液晶パネル」、「導光板」、「光源」、「リフレクター」、「光学シート」、「サポートメイン」、「カバボトム」、「トップケース」及び「液晶表示モジュール」に相当する。
　
（２）引用発明の「導光板」は、その表面から放出された光を少なくとも液晶パネルの有効表示面に導くものであって、光源から入射された光を液晶パネルの面に光を行き渡らせるように変換したうえで該液晶パネル側に出射するものといえるから、本願発明の「導光板」と、「光源から入射された光を平面光源に変換して前記液晶パネル側に進行するようにする」点で一致する。
　
（３）引用発明は、「導光板」の表面（液晶パネル側の面）に光拡散板若しくはレンズシートが配置されており、これらが導光板を経由した光を拡散または進行方向の調節をするものであることは明らかであるから、引用発明の「光拡散板若しくはレンズシート」は、本願発明の「光学シート」と、「液晶パネルと前記導光板の間に位置して前記導光板を経由した光の拡散及び／または進行方向の調節をする」ためのものである点で一致する。
　
（４）引用発明は、導光板と光源と反射シート４からなる照明手段を位置決めして収納する枠体のうち、上枠が上記照明手段と隣接して配置されており、上記導光板はその表面（上枠側）に光拡散板若しくはレンズシートが配置されているから、上記導光板及び上記光拡散板若しくはレンズシートは、上記上枠に収納されているものといえる。したがって、引用発明の「上枠」は、本願発明の「サポートメイン」と、「導光板及び光学シートが収納される」点で一致する。
　
（５）引用発明の「底枠」は、反射シート２２の背面と上枠の側面及び底面を覆うから、本願発明の「カバボトム」と、「リフレクターの背面とサポートメインの側面及び底面を囲む」点で一致する。
　
（６）引用発明の「金属枠体」は、底枠の側面を覆うとともに、上枠の側面と上部の一部とを覆うから、本願発明の「トップケース」と、「カバボトムとサポートメインの側面を囲んで前記サポートメインの上部・・・を囲む」点で一致する。
　
（７）上記（１）ないし（６）から、本願発明と引用発明とは、
「液晶パネルと、
光源から入射された光を平面光源に変換して前記液晶パネル側に進行するようにする導光板と、
前記液晶パネルと前記導光板の間に位置して前記導光板を経由した光の拡散及び／または進行方向の調節をするための光学シートと、
リフレクターと、
導光板及び光学シートが収納されるサポートメインと、
　前記リフレクターの背面と前記サポートメインの側面及び底面を囲むカバボトムと、前記カバボトムとサポートメインの側面を囲んで前記サポートメインの上部を囲むトップケースとを更に具備する液晶表示モジュール。」
の点で一致し、以下の点で相違する。
　
ア　液晶パネルが、本願発明においては、「二枚の基板の間に液晶が注入された」ものであるのに対し、引用発明においては、そのようなものか否か不明である点（以下「相違点６」という）。
　
イ　「サポートメインの上部」のうち「トップケース」に囲まれる箇所が、本願発明においては、「上部側縁」であるのに対し、引用発明においては、そのようなものではない点（以下「相違点７」という。）。
　
ウ　本願発明は、「サポートメイン」に「液晶パネルが収納される」のに対し、引用発明は、そのようなものかどうか明らかでない点（以下「相違点８」という）。
　　
エ　本願発明は、「リフレクター」が「導光板の側面と底面を囲んで、導光板を支持するための段差面から水平方向に延伸する延伸部を有する」ものであって、「リフレクターとサポートメインに設置されて前記リフレクターと前記サポートメインを固定させる固定部材」を有し、カバボトムが「サポートメインの突起が貫通されるホールを具備する」ものであるのに対し、引用発明は、リフレクターが上記のようなものか否か不明であり、また、上記のような固定部材及び該固定部材に関する構造を有さない点（以下「相違点９」という。）。
　
オ　液晶表示モジュールが、本願発明においては、「ノートブックコンピュータ用」であるに対し、引用発明においては、液晶表示装置がノートブックコンピュータ用か否か不明である点（以下「相違点１０」という。）。
　
４　判断
　上記相違点について検討する。
（１）相違点６ないし８及び１０について
　相違点６ないし８及び１０は、前記「第２［理由４］」の相違点１ないし３及び５と同じであるから、前記「第２［理由］５」の（１）ないし（３）及び（５）と同様の理由により、相違点６ないし８及び１０に係る本願発明の構成となすことは、刊行物１に記載された発明及び刊行物２の記載事項並びに周知技術に基づいて当業者が容易に想到し得ることである。
　
（２）相違点９について
　ア　刊行物２には、以下の技術が記載されているものと認められる（上記第２［理由５（４）ア］を参照。）。
（ア）ノートパソコン等の携帯性を重要視する情報端末機等の照明装置を前提として、下フレーム２に設けられたピン１１に、照明装置の構成部材である導光板１２、拡散板１３、レンズ１４、反射板１５、放熱板１６のそれぞれに設けられた孔１７をはめ込み、照明装置の各構成部材を位置決め固定することにより、照明装置の
厚さを薄くできる
（イ）放熱板１６、反射板１５、導光板１２、拡散板１３及びレンズ１４のそれぞれの部材が、その側部の一辺において各部材の他の部位と面一な延伸部を有し、該延伸部に孔１７が形成されており、上フレーム１に孔１７が形成されており、下フレーム２のピン１１近辺には窪みが設けられており、上記窪みに上記それぞれの部材の延伸部が収まること。
　
イ　そして、引用発明は、表示装置の小型、軽量化を図る課題を有するものであり、小型、軽量化のために、その照明装置の厚みを薄くすることは、当業者が当然考慮し得ることであるから、引用発明において、上記ア（ア）の刊行物２記載の技術に基づいて、底枠及び上枠にピン及び孔からなる位置決め固定のための構造を採用し、底枠及び上枠に挟まれた反射シート、導光板、光拡散板、レンズシートのうち何れか１つまたは複数の部材について、前記位置決め固定のための構造を採用することは、当業者が容易に想到し得ることである。
　
ウ　ここで、引用発明は、上枠の裏面には、反射シート４の一端が板を介して枠体に接着固定されており、上記板は最初に反射シート４に接着され、それを上記上枠凹部の間に設けられた平坦部に接着し、その後導光板を填め込み、熱伝導体が配置され、光源が組み込まれ、光源が、その両端において上枠の凹部に固定され、底枠で蓋がなされているから、上枠に、導光板などの照明装置の各構成部材及び底枠が取り付けられているといえる。そうすると、引用発明において、刊行物２記載の技術を適用するに際し、上枠にピンを設け、該上枠に取り付けられる底枠に孔を設け、反射シート２２、導光板、光拡散板、レンズシートのうち何れか１つまたは複数の部材に孔を設けるようになすことは、当業者が適宜なし得る設計事項である。
　
エ　しかるところ、上枠（サポートメイン）と底枠（カバボトム）を確実に固定するために、上枠（サポートメイン）のピン（突起）が底枠（カバボトム）の孔（ホール）を貫通するものとすることは、当業者が当然に行うことに過ぎない。
　
オ　さらに、引用発明において、上記ア（ア）の刊行物２記載の技術を適用するに際し、上記ア（イ）の刊行物２記載の技術を併せて採用し、反射シート２２（リフレクター）に他の部位と面一な延伸部を形成し、底枠（カバボトム）に該延伸部が収まる窪みを設けることは、当業者が適宜なし得る程度のことである。
　
カ　また、リフレクターが導光板の側面と底面を囲むものとすることは、導光板の側面からの光漏れを防ぐ必要性に応じて当業者が適宜なし得る程度のことである。
　
キ　上記アないしカの検討によれば、引用発明に刊行物２の記載事項を適用し、上記相違点９に係る本願発明の構成となすことは、当業者が容易に想到し得ることである。
　
（３）そして、本願発明の奏する効果が、引用発明及び刊行物２の記載事項並びに周知技術から当業者が予測可能な域を超える程の格別なものとは認められない。
　
（４）したがって、本願発明は、刊行物１に記載された発明及び刊行物２の記載事項並びに周知技術に基づいて当業者が容易に発明をすることができたものである。
　
５　むすび　
　以上のとおり、本願発明は、刊行物１に記載された発明及び刊行物２の記載事項並びに周知技術に基づいて当業者が容易に発明をすることができたものであるから、特許法第２９条第２項の規定により特許を受けることができない。
　よって、結論のとおり審決する。